(57)【要約】【課題】  パルス波形に含まれる高周波成分による列配線、行配線への過渡電流による波形の乱れを抑制する。【解決手段】  変調電圧パルスは、そのパルス幅が走査電圧パルスの幅よりも長くなるように生成され、変調電圧パルスの出力は、走査電圧パルスの出力が開始される前に開始されると共に、走査電圧パルスの出力が終了した後に終了される。【選択図】  図１
2011002651.tif 000002
【特許請求の範囲】
【請求項１】
複数の行配線と、複数の列配線と、各々が前記複数の行配線のいずれか一つと前記複数の列配線のいずれか一つとに接続された複数の表示素子と、を備える表示パネルを具備する画像表示装置の制御方法であって、
前記複数の行配線の中から選択された行配線に走査電圧パルスを出力するステップと、
画像データに基づいて変調電圧パルスを生成し、該変調電圧パルスを前記複数の列配線に出力するステップと、を備え、
前記変調電圧パルスは、そのパルス幅が前記走査電圧パルスの幅よりも長くなるように生成され、
前記変調電圧パルスの出力は、前記走査電圧パルスの出力が開始される前に開始されると共に、前記走査電圧パルスの出力が終了した後に終了される、ことを特徴とする画像表示装置の制御方法。
【請求項２】
複数の行配線と、複数の列配線と、各々が前記複数の行配線のいずれか一つと前記複数の列配線のいずれか一つとに接続された複数の表示素子と、を備える表示パネルと、
走査電圧パルスを前記複数の行配線に順次出力する走査手段と、
画像データに基づいて生成した変調電圧パルスを前記複数の列配線に出力する変調手段と、
前記走査手段と変調手段を制御する制御手段と、
を備える画像表示装置であって、
前記変調手段は、前記走査電圧パルスの幅よりも長い幅のパルスを前記変調電圧パルスとして生成し、
前記制御手段は、前記走査電圧パルスの出力を開始する前に前記変調電圧パルスの出力を開始し、前記走査電圧パルスの出力を終了した後に前記変調電圧パルスの出力を終了するように、前記走査手段と前記変調手段を制御することを特徴とする画像表示装置。
【請求項３】
複数の表示素子が複数の行配線と複数の列配線とによりマトリクス配置された表示パネルと、前記複数の行配線の中から選択された行配線に選択電位を出力すると共に非選択の行配線に非選択電位を出力する走査手段と、画像データに基づいて変調電圧パルスを生成し、該変調電圧パルスを前記列配線に出力する変調手段と、を備える画像表示装置の制御方法であって、
前記変調手段から前記列配線に出力する前記変調電圧パルスの電位を前記画像データに基づく電位に遷移させてから所定の時間が経過した時点で、前記複数の行配線の中から選択された行配線に前記走査手段から出力する電位を前記非選択電位から前記選択電位へ遷移させ、
前記選択された行配線に前記走査手段から出力する電位を前記選択電位から前記非選択電位へ遷移させてから所定の時間が経過した時点で、前記変調手段から前記列配線へ出力する前記変調電圧パルスの電位を、前記非選択電位との差が前記表示素子の発光に必要な閾値電圧以下となる電位Ｖｐに遷移させる、ことを特徴とする画像表示装置の制御方法。
【請求項４】
前記変調電圧パルスを振幅変調することを特徴とする、請求項３に記載の画像表示装置の制御方法。
【請求項５】
前記電位Ｖｐが、グラウンドレベルであることを特徴とする、請求項３に記載の画像表示装置の制御方法。
【請求項６】
前記電位Ｖｐが、前記変調手段が出力することのできる最大電位と最低電位の電位差の１／２であることを特徴とする、請求項３に記載の画像表示装置の制御方法。
【請求項７】
前記電位Ｖｐが、前記非選択電位と等しいことを特徴とする、請求項３に記載の画像表示装置の制御方法。
【請求項８】
前記電位Ｖｐが、前記走査手段が次に選択する行配線に接続している表示素子に対応する画像データに基づいた変調電圧パルスの電位と等しいことを特徴とする、請求項３に記載の画像表示装置の制御方法。
【請求項９】
複数の表示素子が複数の行配線と複数の列配線とによりマトリクス配置された表示パネルと、前記複数の行配線の中から選択された行配線に選択電位を出力すると共に非選択の行配線に非選択電位を出力する走査手段と、画像データに基づいて変調電圧パルスを生成し、該変調電圧パルスを前記列配線に出力する変調手段と、前記走査手段と変調手段を制御する制御信号を生成する制御手段と、を備える画像表示装置であって、
前記制御手段は、前記変調手段から前記列配線に出力する前記変調電圧パルスの電位を前記画像データに基づく電位に遷移させてから所定の時間が経過した時点で、前記複数の行配線の中から選択された行配線に前記走査手段から出力する電位を前記非選択電位から前記選択電位へ遷移させるように前記走査手段と前記変調手段を制御すると共に、前記選択された行配線に前記走査手段から出力する電位を前記選択電位から前記非選択電位へ遷移させてから所定の時間が経過した時点で、前記変調手段から前記列配線へ出力する前記変調電圧パルスの電位を、前記非選択電位との差が前記表示素子の発光に必要な閾値電圧以下となる電位Ｖｐに遷移させるように前記走査手段と前記変調手段を制御する、ことを特徴とする画像表示装置。
【発明の詳細な説明】
【技術分野】
【０００１】
フィールドエミッションディスプレイなどのマトリクス状に配列された表示素子を備える表示パネルを具備した画像表示装置およびその制御方法に関する。
【背景技術】
【０００２】
電子放出素子を用いた表示装置（電子線表示装置）、プラズマ表示装置、液晶表示装置などの平面型画像表示装置が知られている。この種の画像表示装置には、複数の表示素子がマトリクス状に配列された表示パネル（マトリクスパネル）と、表示素子を駆動するための駆動回路と、を備えている。このような表示パネルは、複数の表示素子を個別に駆動するために、複数の行配線と、複数の行配線との間に絶縁層を備え、且つ、複数の行配線と交差する、複数の列配線と、を備える。そして、１本（又は複数本）の行配線に共通に接続された１ライン分（又は複数ライン分）の表示素子を同時に発光させ（駆動させ）、この１ライン分（又は複数ライン分）の発光を順次切り替えることで、１画面の表示を行う。より具体的には、発光対象（駆動対象または表示対象）となる表示素子に接続した行配線を選択し、選択された行配線に選択電位（走査電圧パルス）を供給する。それと同時に、発光対象となる表示素子に接続した列配線に、入力された映像信号に応じて変調された変調信号（変調電圧パルス）を供給する。この動作を順次、選択する行配線を切り替えながら行う。尚、選択された行配線に接続された表示素子には、走査電圧パルスの波高値（走査電位）と変調電圧パルスの波高値（変調電位）との差で定義される電圧が印加される。そして、その電圧が表示素子の発光（駆動）に必要な電圧（駆動電圧）に達した表示素子のみが発光（駆動）される。そして、駆動対象の表示素子からの発光量の調整は、変調電圧パルス（変調信号）の幅を変調（パルス幅変調）する、及び／又は、波高値を変調（振幅変調）することによって行うことができる。
【０００３】
特許文献１には、変調信号の立ち下がり時に電流制限を行う駆動手段が開示されている。
【０００４】
また、特許文献２には、変調電圧パルスのパルス幅を走査電圧パルスのパルス幅よりも大きくすることが開示されている。
【先行技術文献】
【特許文献】
【０００５】
【特許文献１】特開平１１−１７６３６３号公報
【特許文献２】特開２００７−１０８３６５号公報
【発明の概要】
【発明が解決しようとする課題】
【０００６】
表示パネルの高精細化や表示素子の駆動の高速化に伴い、表示素子に印加する電圧が遷移した時に印加電圧の波形に乱れが生じるのを抑制し、表示素子の安定した駆動を実現することが望まれている。特に電子線表示装置のような画像表示装置では、行配線と列配線との間の容量や表示素子の容量が大きく、駆動電圧も大きい。そのため、走査電圧パルスや変調電圧パルスのパルス波形に含まれる高周波成分に起因した、列配線および／または行配線への過渡電流による、パルス波形の乱れが生じてしまう。
【０００７】
すなわち、図３に示す様に、列配線に印加される変調電圧パルスの立ち上り時および立下り時に、マトリクスパネルの配線容量や素子容量を介して、行配線に印加されている走査電位の波形乱れ（クロストーク）ｄＶを生じる。その結果、発光対象である表示素子に印加するべき電圧が所望の値からずれてしまい、階調制御性が低下し、表示する画質への悪影響を及ぼすという問題がある。
【０００８】
そこで、変調電圧パルスの立ち上り時および立ち下がり時における、行配線に印加される走査電圧パルスの波形の乱れを抑制することが望まれている。
【課題を解決するための手段】
【０００９】
本発明は上記課題を解決するためになされたものであって、複数の表示素子が複数の行配線と複数の列配線とによりマトリクス配置された表示パネルと、前記複数の行配線の中から選択された行配線に選択電位を出力すると共に非選択の行配線に非選択電位を出力する走査手段と、画像データに基づいて変調電圧パルスを生成し、該変調電圧パルスを前記列配線に出力する変調手段と、前記走査手段と変調手段を制御する制御信号を生成する制御手段と、を備える画像表示装置であって、前記制御手段は、前記変調手段から前記列配線に出力する前記変調電圧パルスの電位を前記画像データに基づく電位に遷移させてから所定の時間が経過した時点で、前記複数の行配線の中から選択された行配線に前記走査手段から出力する電位を前記非選択電位から前記選択電位へ遷移させるように前記走査手段と前記変調手段を制御すると共に、前記選択された行配線に前記走査手段から出力する電位を前記選択電位から前記非選択電位へ遷移させてから所定の時間が経過した時点で、前記変調手段から前記列配線へ出力する前記変調電圧パルスの電位を、前記非選択電位との差が前記表示素子の発光に必要な閾値電圧以下となる電位Ｖｐに遷移させるように前記走査手段と前記変調手段を制御する、ことを特徴とする。
【発明の効果】
【００１０】
本発明では、所定の行配線に接続された表示素子の駆動開始時に、列配線への変調電圧パルスの出力を開始してから所定の時間が経過した後に、所定の表示素子が接続された行配線（選択された行配線）に走査電圧パルスの出力を開始する。一方、その駆動終了時には、行配線への走査電圧パルスの出力を終了してから所定の時間が経過した後に、変調電圧パルスの出力を終了するようにタイミングを制御する。
【００１１】
これにより、行配線および列配線への過渡電流による波形の乱れを、画像表示期間外（駆動対象の表示素子に走査電圧パルスと変調電圧パルスが同時に印加されている期間外）で生じさせることができる。その結果、画像表示装置の階調制御性を大幅に向上させることができる。
【図面の簡単な説明】
【００１２】
【図１】制御タイミングおよび駆動波形を示すタイミングチャートである。
【図２】画像表示装置の変調回路と走査回路の構成を示すブロック図である。
【図３】従来の駆動波形を示すタイミングチャートである。
【図４】駆動波形に対する輝度波形を示す図である。
【図５】表示パネルの模式図である。
【発明を実施するための形態】
【００１３】
画像表示装置は、複数の表示素子と複数の行配線と複数の列配線とを備え、各々の表示素子が１つの行配線と１つの列配線とに接続された表示素子と、を備える表示パネル（マトリクスパネル）を有する。そして、表示パネルとしては、例えば、電子線表示装置、プラズマ表示装置（ＰＤＰ）、有機ＥＬ表示装置（ＯＬＥＤ）などを包含している。尚、本発明においては、「表示素子」は「発光素子」と言い換えることもできる。特に、電子線表示装置は、表示パネルの配線容量や素子容量が大きく、素子に供給する駆動電圧も大きいという点から、本発明に好ましく適用される。電子線表示装置では、表示素子を構成する電子放出素子として、スピント型電子放出素子、ＭＩＭ型電子放出素子、表面伝導型電子放出素子などの電界放出型電子放出素子を用いることができる。電界放出型電子放出素子を用いた電子線表示装置は、一般に、フィールドエミッションディスプレイと呼ばれる。電子線表示装置では、表示素子は、電子放出素子と、電子放出素子から放出された電子が照射されることで発光する蛍光体などの発光体と、を含む。そのため、詳細には、電子線表示装置では、行配線と列配線とに接続されるのは、表示素子を構成する電子放出素子となる。
【００１４】
電子線表示装置の表示パネル１００の一例を示す斜視模式図を図５（ａ）に示す。また、図５（ａ）の表示パネルの一部の断面模式図を図５（ｂ）に示す。尚、図５（ａ）では、表示パネル１００の内部が理解できるように、一部を切り欠いて示している。
【００１５】
この表示パネル１００では、背面基板９１と前面基板１０２とが支持枠１０６を間に挟んでおり、支持枠と背面基板との間および支持枠と前面基板１０２との間をフリットガラスなどの接合部材２３によって封着している。前面基板１０２と背面基板９１との間には、図５（ｂ）のようにスペーサ１４が配置される場合もある。表示素子はマトリクス配置（マトリクス状に配列）されており、個々の表示素子を構成する電子放出素子１０７が、複数の行配線９５のうちの１つと複数の列配線９４のうちの１つとに接続されている。前面基板１０２は、ガラスなどの透明な基板１０３と、その背面基板９１側に設けられた発光体１０４とアノード電極１０５とを備える。発光体１０４は、図５（ｂ）に示す様に、詳細には、各々が各電子放出素子１０７に対応して設けられ、且つ、赤色（Ｒ）、緑色（Ｇ）、青色（Ｂ）の何れかの色を発光する、蛍光体１７を備えている。各蛍光体１７の間には黒色部材１５が設けられている。アノード電極１０５は通常メタルバックと呼ばれるアルミニウムの薄膜で構成される。また、メタルバックの背面基板９１側には、図５（ｂ）のように、ゲッター層２２が設けられる場合もある。アノード電極１０５にはアノード端子Ｈｖから１０ｋＶ程度の高電位が印加される。電子放出素子１０７から放出された電子がアノード電極の電位に導かれてメタルバックを透過して蛍光体に衝突することにより、各表示素子（発光素子）が発光する。
【００１６】
この表示パネルはライン順次方式で動作させる。ライン順次方式では、Ｎ本の行配線９６の中から選択された１つの行配線９６に走査電圧パルスを出力し、走査電圧パルスの出力に同期して、映像信号（画像データ）に基づいて変調された変調電圧パルスをＭ本の列配線９４に出力する。このようにすることで、選択された１つの行配線に接続する電子放出素子（１ライン分の電子放出素子）の各々から放出される電子の量を変調することができ、各々の電子放出素子に対応する蛍光体１７からの発光量を変調することができる。そして、選択する行配線（走査電圧パルスを出力する対象の行配線）を順次切り替えていくことによって、他のラインを発光させて、１画面の表示を行う。
【００１７】
尚、ここでは、説明を簡略化するために、同時に選択する行配線数を１つ（１ライン）とした形態を説明したが、同時に選択する行配線の数は複数とすることもできる。
【００１８】
上記画像表示装置は、表示パネルを駆動するための駆動手段として、走査回路と変調回路を備えている。走査回路は、駆動対象の一つまたは複数の行配線に選択電位である走査電圧パルスを出力する回路である。変調回路は、画像データに基づいて変調電圧パルスを生成し、その変調電圧パルスを列配線に出力する回路である。また、画像表示装置の制御回路は、走査回路と変調回路を制御する回路である。制御回路は、走査電圧パルスの出力開始時においては、行配線への走査電圧パルスの出力の開始よりも前に変調電圧パルスの列配線への出力を開始するように、走査回路と変調回路を制御する。また、走査電圧パルスの出力終了時においては、列配線への変調電圧パルスの出力の終了よりも前に走査電圧パルスの行配線への出力を終了するように、走査回路と変調回路を制御する。
【００１９】
（第１の実施形態）
次に、上述した走査電圧パルスおよび変調電圧パルスを出力するための画像表示装置の構成および制御方法の第１の実施形態例について説明する。
【００２０】
図２（ａ）は、画像表示装置の構成を示す図である。画像表示装置は、画像表示部としての表示パネルＡ１、変調回路Ａ２、走査回路Ａ３、制御回路Ａ４、データ変換回路Ａ５、パラレル／シリアル変換回路Ａ６、変調電源回路Ａ７、走査電源回路Ａ８を備えている。
【００２１】
表示パネルＡ１は、図５に示した表示パネル１００に相当し、複数の電子放出素子１０７、複数の行配線９６、複数の列配線９４を備えており、行配線９６と列配線９４との交差部またはその近傍に電子放出素子が設けられている。
【００２２】
選択された行配線に選択電位である走査電圧パルスを供給し、列配線に変調電圧パルスを供給すると、走査電圧パルスと変調電圧パルスの電位差である電圧が電子放出素子に印加される。この電圧の印加時間や電圧値を適宜制御することにより、所定の表示素子を所定の輝度で発光させることができる。
【００２３】
変調回路Ａ２は、表示パネルＡ１の列配線に接続されている。この変調回路Ａ２は、出力データ回路から供給される画像データに基づいて変調信号（変調電圧パルス）を生成し、その変調信号を表示パネルＡ１の各列配線に出力する回路である。
【００２４】
変調電源回路Ａ７は、複数の電圧値（電位）を出力可能に構成された電源回路である。即ち、変調電圧パルスは、振幅変調される。変調電源回路Ａ７は、変調回路Ａ２の回路動作用の電源であるとともに、変調回路Ａ２から出力される変調電圧パルスの波高値（電圧値）を規定するための電源である。変調電源回路Ａ７は、一般的に電圧源回路であるが、必ずしもこれに限定されるものではない。
【００２５】
走査回路Ａ３は、表示パネルＡ１の行配線に接続されている。走査回路Ａ３は、全ての行配線（Ｎ本の行配線）の中から駆動対象とする一本または複数本の行配線を選択し、選択する行配線に走査電圧パルスを出力する回路である。そして、走査回路Ａ３は、出力する対象の行配線を順次切り替えることにより、走査電圧パルスを複数の行配線に順次出力することになる。一般的には、一行ずつ順次選択する線順次走査が行われるが、複数の行配線を同時に選択することもできる。尚複数の行配線を同時に選択する場合においても、行配線の全てを同時に選択することはない。走査回路Ａ３は、飛び越し走査（インタレース走査）、複数行を同時に選択したりすること（マルチライン走査）も可能である。走査回路Ａ３は、駆動対象の行配線（選択ライン）に対しては選択電位（走査電圧パルス）を供給し、その他の行配線（非選択ライン）に対しては非選択電位を供給する。
【００２６】
走査電源回路Ａ８は、複数の電圧値（選択電位、非選択電位）を出力する電源回路である。一般的には電圧源回路であるが、必ずしもこれに限定されるものではない。
【００２７】
制御回路Ａ４は、変調回路Ａ２、走査回路Ａ３、データ変換回路Ａ５およびパラレル／シリアル変換回路Ａ６のそれぞれ回路のタイミングを制御する制御データとしてのタイミング信号を発生する回路である。
【００２８】
データ変換回路Ａ５は、入力された映像信号に含まれる輝度階調データを、変調回路Ａ２および表示パネルＡ１に適した画像データに変換する回路である。たとえば、データ変換回路Ａ５は、輝度階調データに対して、逆γ変換、輝度補正、色補正、解像度変換、最大値調整（リミッタ）などの信号処理を施すことができる。
【００２９】
パラレル／シリアル変換回路Ａ６は、データ変換回路Ａ５から出力された画像データをパラレルデータからシリアルデータに変換し、変調回路Ａ２に出力する回路である。
【００３０】
以下に、本実施形態における変調回路Ａ２の動作を、図２（ｂ）を用いて説明する。
【００３１】
パラレル／シリアル変換回路Ａ６から出力された画像データは、シリアル／パラレル変換回路Ａ９でパラレルデータに変換される。パラレルデータに変換された画像データは、シフトレジスタＡ１０によって、順次データサンプリング回路Ａ１１に格納される。
【００３２】
表示パネルＡ１の水平方向の画素数（以下、水平方向の画素数をＭとする）に相当する画像データが、データサンプリング回路Ａ１１に格納される。その後、データサンプリング回路Ａ１１に格納された各画素用の画像データをもとに、ロジック回路Ａ１２が、出力回路Ａ１３の制御信号（制御シーケンス）を生成し、出力回路Ａ１３に送出する。
【００３３】
出力回路Ａ１３は、制御信号（制御シーケンス）に基づき、変調電圧パルスを生成し、その変調電圧パルスを表示パネルＡ１の列配線に出力する。出力回路Ａ１３は、オペアンプを用いたユニティゲインバッファ構成が好適である。またオペアンプの増幅段構成を用いてもよい。
【００３４】
次に、本実施形態における走査回路Ａ３の動作を、図２（ｃ）を用いて説明する。
シフトレジスタＡ１４は、タイミング発生回路Ａ４からの制御信号により、表示パネルＡ１の垂直方向の画素数（以下、水平方向の画素数をＮとする）のうち、１または複数を選択するラインを決定するロジック回路である。シフトレジスタＡ１４は、不図示のＤフリップフロップにより構成されるシフトレジスタと、シフトレジスタの出力・シフトクロック・シフトデータの出力の論理演算を行う論理素子と、から構成される。
【００３５】
出力回路Ａ１５は、シフトレジスタＡ１４から出力されるシフトデータ（制御信号）を、行配線の駆動に必要な電圧・電流レベルに変換し出力する機能をもつ回路である。
【００３６】
以下、本実施形態における、変調回路Ａ２および走査回路Ａ３を制御するタイミング発生回路Ａ４の動作について、図１（ａ）のタイミング図を用いて、時系列的に、詳細に説明する。以下では、時刻ｔ０から時刻ｔ５までの間（上から２番目の行配線を選択して、その行配線に接続する表示素子を駆動（発光）させるための期間）について説明する。尚、図１（ａ）では、時刻ｔ０の左側に、一番上の行配線を選択して、その行配線に接続する表示素子を駆動（発光）させるための期間を示している。同様に、時刻ｔ５の右側には、上から３番目以降の配線を選択して、その行配線に接続する表示素子を駆動（発光）させるための期間について、簡略化して示している。
【００３７】
時刻ｔ０において、制御回路Ａ４から出力されるデータラッチにより、表示パネルＡ１の水平方向の画素数に相当する（列配線の数に相当する）画像データが、データサンプリング回路Ａ１１に格納される。
【００３８】
また、同じ時刻ｔ０において、走査回路Ａ３にシフトクロックが入力されると、走査回路Ａ３内のシフトレジスタＡ１４のシフトデータがシフトする。図１（ａ）の場合、時刻ｔ０においては、シフトデータ１がハイからローへ遷移し、シフトデータ２がローからハイへ遷移することで、選択ラインを順次シフトさせる。但し、この時点においては、後述する出力イネーブルがローのため、各行配線には、非選択電位Ｖｕｓｅｌが印加されている。従って、この時点では、実態的には、各行配線への走査電圧パルスの出力は行われていない状態と見なせる。
【００３９】
次に時刻ｔ１において、スタートパルスが変調回路Ａ２に入力されると、出力回路Ａ１３は、データサンプリング回路Ａ１１に格納されている画像データに応じた変調電圧パルス１〜変調電圧パルスＭの、表示パネルＡ１の列配線への出力を開始する。詳細には、各列配線に印加する電位（波高値）の、変調電圧パルスの基準電位である電位Ｖｐから画像データに応じた所定の電位Ｖｘ１〜Ｖｘｍへの遷移が時刻ｔ１に開始される。変調電圧パルスの波形として、図１（ａ）では変調電圧パルスの基準電位である電位Ｖｐから、一定の傾きを持ち、画像データに応じた所定の電位Ｖｘ１〜Ｖｘｍまで遷移するパルス波形を用いている。しかし、変調電圧パルスの波形は、これに限られたものではなく、表示パネルＡ１の電子放出素子の特性に合わせた変調電圧パルスの波形であれば、どのような波形を用いても良い。好ましくは、行配線への波形乱れを少なくするために、緩やかに単調増加（減少）する波形が好適である。そして、後述する時刻ｔ４までは、各列配線に印加される電位（波高値）は、画像データに応じた、所定の電位Ｖｘ１〜Ｖｘｍに維持される。
【００４０】
基準電位Ｖｐは、変調回路Ａ２が出力可能な最大電位と最低電位との間の電位である。基準電位Ｖｐは、非選択の行配線に印加される電位（非選択電位Ｖｕｓｅｌ）との差が、電子放出素子の電子放出に必要な閾値電圧以下となればどのような電位であってもよい。即ち、基準電位Ｖｐは、非選択の行配線に印加される電位（非選択電位Ｖｕｓｅｌ）との差が、表示素子の発光（駆動）に必要な閾値電圧以下となればどのような電位であってもよい。好ましくは、変調信号の平均消費電力を低くできるため、変調回路Ａ２が出力可能な最大電位と最低電位の電位差の１／２の電位に設定するのが好適である。また好ましくは、電位Ｖｐ＝電位Ｖｕｓｅｌとなるように設定するのが好適である。このようにすれば発光対象（駆動対象）でない表示素子に印可される電圧（電位Ｖｐ−電位Ｖｕｓｅｌ）がゼロとなり、電子放出素子の特性により生じる漏れ電流をゼロにできるためである。また好ましくは、回路構成を簡単にできるため、電位Ｖｐをグラウンドレベルに設定するのが好適である。
【００４１】
次に、変調電圧パルス１〜変調電圧パルスＭの電位が、所定の電位Ｖｘ１〜Ｖｘｍに達した後、時刻ｔ２において、出力回路Ａ１５へ出力イネーブル信号が送出される。そして、シフトデータ２で選択された行配線（２番目の行配線）への走査電圧パルス２の出力が開始される。詳細には、選択された行配線（２番目の行配線）に印加する電位（波高値）の、非選択電位Ｖｕｓｅｌから選択電位Ｖｓｅｌへの遷移が時刻ｔ２で開始される。これにより、表示パネルＡ１への１ライン分の画像表示が開始される。そして、時刻ｔ３までは、行配線（２番目の行配線）に印加する電位（波高値）は選択電位Ｖｓｅｌに維持される。このため、変調電圧パルスの出力が開始された後に、所定の時間が経過した時点で、走査電圧パルス２の出力が開始されることになる。言い換えると変調電圧パルス１〜変調電圧パルスＭの電位の電位Ｖｘ１〜Ｖｘｍへの遷移が行われた後に、所定の時間が経過した時点で、非選択電位Ｖｕｓｅｌから選択電位Ｖｓｅｌへの遷移が開始されることになる。
【００４２】
次に、時刻ｔ３において、出力回路Ａ１５へ印可されていた出力イネーブル信号を停止させ、シフトデータ２で選択された行配線（２番目の行配線）への走査電圧パルス２の出力を終了する。詳細には、選択された行配線（２番目の行配線）に印加する電位（波高値）の、選択電位Ｖｓｅｌから非選択電位Ｖｕｓｅｌへの遷移が時刻ｔ３で開始される。選択された行配線（２番目の行配線）の電位が非選択電位Ｖｕｓｅｌに遷移した時点で走査電圧パルス２の出力が終了する。
【００４３】
次に、走査電圧パルス２が非選択電位Ｖｕｓｅｌに達した以降の時刻ｔ４において、エンドパルスが変調回路Ａ２へ入力される。これにより、出力回路Ａ１３は、表示パネルＡ１の列配線への変調電圧パルス１〜変調電圧パルスＭの出力を終了する。詳細には、各列配線に印加する電位（波高値）の、所定の電位Ｖｘ１〜Ｖｘｍから基準電位Ｖｐへの遷移が開始される。各列配線の電位が基準電位Ｖｐに遷移した時点で変調電圧パルス１〜変調電圧パルスＭの出力が終了する。
【００４４】
従って、変調電圧パルスは、そのパルス幅が、走査電圧パルスのパルス幅よりも長く制御されていることになる。また、走査電圧パルス２の出力が終了された後に、所定の時間が経過した時点で、変調電圧パルスの出力が終了されることになる。言い換えると、選択電位Ｖｓｅｌから非選択電位Ｖｕｓｅｌへの遷移が行われた後に、所定の時間が経過した時点で、変調電圧パルス１〜変調電圧パルスＭの電位Ｖｘ１〜Ｖｘｍから基準電位Ｖｐへの遷移が開始されることになる。
【００４５】
以上の動作を順次異なる行配線に対して繰り返すことにより、１画面分の表示を行うことができる。
【００４６】
本実施形態によれば、図１（ａ）の走査電圧パルスの波形からも明らかなように、波形乱れ（クロストーク）ｄＶが、走査電圧パルスが印加されている期間の外で生じさせることができるので、階調制御性の低下を抑制できる。
【００４７】
（実施形態２）
次に、第２の実施形態について説明する。
【００４８】
第１の実施形態では時刻ｔ４において変調電圧パルスの電位を、次の選択期間に列配線に出力される変調電圧パルスの電位とは無関係の電位Ｖｐに向けて遷移を開始させた。本実施形態では、次の選択期間に列配線に出力される変調電圧パルスの電位（振幅）に向けて遷移させる点が、実施例１とは異なる点である。その他は第１の実施形態と同様なので、その詳細な説明は省略する。
【００４９】
本実施形態における、変調回路Ａ２および走査回路Ａ３を制御するタイミング発生回路Ａ４の動作について、図１（ｂ）のタイミング図を用いて、時系列的に、詳細に説明する。以下では、時刻ｔ６から時刻ｔ１１までの間（上から２番目の行配線を選択して、その行配線に接続する表示素子を駆動（発光）させるための期間）について説明する。尚、図１（ｂ）では、時刻ｔ６の左側に、一番上の行配線を選択して、その行配線に接続する表示素子を駆動（発光）させるための期間を示している。同様に、時刻ｔ１１の右側には、上から３番目以降の配線を選択して、その行配線に接続する表示素子を駆動（発光）させるための期間について、簡略化して示している。
【００５０】
まず、時刻ｔ６において、制御回路Ａ４から出力されるデータラッチにより、表示パネルＡ１の水平方向の画素数に相当する（列配線の数に相当する）画像データが、データサンプリング回路Ａ１１に格納される。
【００５１】
次に時刻ｔ７において、スタートパルスが変調回路Ａ２に入力されると、出力回路Ａ１３は、データサンプリング回路Ａ１１に格納されている画像データに応じた変調電圧パルス１〜変調電圧パルスＭの、列配線への出力を開始する。変調電圧パルスの波形として、図１（ｂ）では、一定の傾きを持ち、画像データに応じた所定の電位Ｖｘ１＿１〜Ｖｘｍ＿１まで遷移する波形を用いている。しかし、変調電圧パルスの波形は、これに限られたものではなく、表示パネルＡ１の電子放出素子の特性に合わせた変調電圧パルスの波形であれば、どのような波形を用いても良い。好ましくは、行配線への波形乱れを少なくするために、緩やかに単調増加（減少）する波形が好適である。そして、後述する時刻ｔ１１までは、各列配線に印加される電位（波高値）は、画像データに応じた、所定の電位Ｖｘ１＿１〜Ｖｘｍ＿１に維持される。
【００５２】
次に、変調電圧パルス１〜変調電圧パルスＭが、所定の電位Ｖｘ１＿１〜Ｖｘｍ＿１に達した以降の時刻ｔ８において、走査回路Ａ３にシフトクロックが入力される。すると、走査回路Ａ３内のシフトレジスタＡ１４のシフトデータがシフトし、図１（ｂ）の場合、時刻ｔ８においては、シフトデータ１がハイからローへ遷移し、シフトデータ２がローからハイへ遷移することで、選択ラインを順次シフトさせる。さらに、出力回路Ａ１５へ出力イネーブル信号が送出され、シフトデータ２で選択された行配線（上から２番目の行配線）への走査電圧パルス２の出力が開始される。詳細には、選択された行配線（上から２番目の行配線）に印加する電位（波高値）の、非選択電位Ｖｕｓｅｌから選択電位Ｖｓｅｌへの遷移が時刻ｔ８で開始される。これにより、表示パネルＡ１への１ライン分の画像表示が開始される。そして、時刻ｔ９までは、行配線（上から２番目の行配線）に印加する電位（波高値）は選択電位Ｖｓｅｌに維持される。
【００５３】
次に、時刻ｔ９において、出力回路Ａ１５へ印可されていた出力イネーブル信号を停止させ、シフトデータ２で選択された行配線（上から２番目の行配線）への走査電圧パルス２の出力を終了する。詳細には、選択された行配線（上から２番目の行配線）に印加する電位（波高値）の、選択電位Ｖｓｅｌから非選択電位Ｖｕｓｅｌへの遷移が時刻ｔ３で開始される。選択された行配線（上から２番目の行配線）の電位が非選択電位Ｖｕｓｅｌに遷移した時点で走査電圧パルス２の出力が終了する。
【００５４】
次に、走査電圧パルス２が非選択電位Ｖｕｓｅｌへ達した以降の時刻ｔ１０において、時刻ｔ６と同様にデータラッチにより表示パネルＡ１の水平方向の画素数に相当する（列配線の数に相当する）画像データが、データサンプリング回路Ａ１１に格納される。この格納される画像データは、シフトデータ３で選択される行配線（上から３番目の行配線）に接続する表示素子に対応する画像データである。
【００５５】
次に時刻ｔ１１において、スタートパルスが変調回路Ａ２に入力されると、出力回路Ａ１３は、データサンプリング回路Ａ１１に格納されている画像データに応じた変調電圧パルス１〜変調電圧パルスＭの、列配線への出力を開始する。詳細には、各列配線に印加する電位（波高値）の、画像データに応じた所定の電位Ｖｘ１＿１〜Ｖｘｍ＿１から次の画像データに応じた所定の電位Ｖｘ１＿２〜Ｖｘｍ＿２への遷移を開始する。このため、電位Ｖｘ１＿１〜Ｖｘｍ＿１から電位Ｖｘ１＿２〜Ｖｘｍ＿２への遷移が完了した時点が、画像データに応じた電位Ｖｘ１＿１〜Ｖｘｍ＿１を波高値として有する変調電圧パルス１〜変調電圧パルスＭの出力の終了時点とみなすことができる。
【００５６】
従って、変調電圧パルスは、そのパルス幅が、走査電圧パルスのパルス幅よりも長く制御されていることになる。
【００５７】
以上の動作を順次異なる行配線に対して繰り返すことにより、１画面分の表示を行うことができる。
【００５８】
第２の実施形態例では、時刻ｔ１１において変調電圧パルスの電位（波高値）を、次の選択期間に印可するべき変調電圧パルスの電位に遷移させるように制御する。これにより、表示パネルＡ１の列配線や行配線に生じる配線容量や電子放出素子の素子容量を充放電させる回数を減らすことができ、消費電力を低減することが可能となる。例えば、同じ列配線に続けて出力される変調電圧パルスに対応する画像データが同じである場合（変化しない場合）、出力される変調電圧パルスの電位（波高値）も同じである（変化しない）。そのため、第２の実施形態例の場合においては、この変調電圧パルスは、選択期間、非選択期間にかかわらず一定電位でよく、容量を充放電させる必要がない。そのため、充放電による消費電力（容量×出力電位×出力電位×周波数）をゼロにすることが可能となる。
【００５９】
以下、上述の実施形態によって得られる効果について、詳細に説明する。
図４（ａ）〜（ｃ）は、表示パネルＡ１のある画素（表示素子）における電圧―輝度特性と、表示素子に図に示されている電圧波形ａ〜電圧波形ｃを印可した際に表示される輝度波形を表している。図４（ａ）は、上述の実施形態における電圧―輝度特性を、図４（ｂ）は図３で示した関係のパルス波形を印加した場合における電圧―輝度特性を、また、図４（ｃ）は、理想状態における電圧―輝度特性を表している。
【００６０】
理想状態における、画素（表示素子）における輝度波形は、図４（ｃ）の輝度波形ｃとなる。しかしながら、列配線や行配線に生じる配線容量や電子放出素子の素子容量により、図３で示した関係のパルス波形や上述の実施形態における図１（ａ）、図１（ｂ）で示した関係のパルス波形を印加した場合、行配線の電位に乱れを生じる。即ち、理想状態における電圧波形ｃに対し、歪んだ電圧波形となる。これにより、輝度波形も歪みを生じ、画質の悪化を招く。
【００６１】
図３で示した関係のパルス波形を印加した場合（図４（ｂ）の場合）、走査電圧パルスの波高値を選択電位Ｖｓｅｌへ遷移させた後、変調電圧パルスの波高値を所定の電位Ｖｘまで遷移させるため、電圧波形ｂの波形歪みは、期間２の間で生じる。
【００６２】
一方、上述の実施形態例の場合（図４（ａ）の場合）も同様な波形歪みを生じるが、図４（ｂ）の場合とは異なり、変調電圧パルスの波高値を所定の電位Ｖｘまで遷移させた後、走査電圧パルスの波高値を選択電位Ｖｓｅｌへ遷移させるような制御を行う。そのため、電圧波形ａの波形歪みは、期間１の間で生じることとなる。特許文献２の場合については、電圧波形の波形歪みは、駆動開始時については期間１で生じるが、駆動終了時では期間２で生じることとなる。
【００６３】
ここで、図４（ａ）の期間１と、図４（ｂ）の期間２における、電圧―輝度特性の電圧の変化に対する輝度の変化率（以降、輝度傾きと呼ぶ）に注目すると、期間１の方が期間２よりも輝度傾きが緩やかなことがわかる。すなわち、期間２において電圧波形ｂが歪んだ場合の輝度変化よりも、期間１において電圧波形ａが歪んだ方が、輝度に与える影響度合いが少なくなり、より理想状態である図４（ｃ）の波形に近づけることが可能となる。
【００６４】
つまり、上述の実施形態例では、輝度傾きが小さい期間で生じさせることにより、画像に与える影響を大幅に軽減することが可能となる。
【００６５】
そのため、電子線表示装置に用いる電子放出素子としては、期間１の輝度傾きに対する期間２の輝度傾きの比が１０００〜１００万程度と大きい、ＦＥ型電子放出素子、ＭＩＭ型電子放出素子、表面伝導型放出素子などの電界放出型の電子放出素子が好適である。しかしながら、画像表示装置としては、プラズマ表示装置、有機ＥＬ表示装置などにも適用できることは言うまでもない。また、上記実施形態例では電圧駆動による例を示したが、これに限られるものではなく、電流駆動でもよいし、電荷駆動でも適用可能なのは言うまでもない。
【００６６】
また、図１（ａ）における時間ｔ１〜ｔ２および時間ｔ４〜ｔ５、図１（ｂ）における時間ｔ７〜ｔ８をどの程度の時間に設定するかに関しては、波形乱れのクロストーク電位ｄＶ＝０となる時間が好適である。しかしながら、電子放出素子の特性（輝度傾き）を鑑み、画質に影響の出ない範囲であれば、ｄＶ≒０となる時間であってもよく、特に制限されるものではない。
【符号の説明】
【００６７】
Ｖｕｓｅｌ  非選択電位
Ｖｓｅｌ  選択電位
Ｖｘ１、Ｖｘ２、Ｖｘｍ  変調電位
Ｖｐ  中間電位
ｄＶ  クロストーク電位
ｔ１  変調回路駆動開始時間
ｔ２  走査回路駆動開始時間
ｔ３  走査回路駆動終了時間
ｔ４  変調回路駆動終了時間
【図１】
2011002651.tif 000003
【図２】
2011002651.tif 000004
【図３】
2011002651.tif 000005
【図４】
2011002651.tif 000006
【図５】
2011002651.tif 000007